(57)【要約】【課題】天端レベルを表示できることは勿論、取り付けや取り外しが簡単に行えて、打設作業やレベル調整作業に邪魔にならないレベルマーカを、簡単な構成によって提供すること。【解決手段】天端レベル３０に対応する位置に配置されている、または配置した支持材２０に当接される基部と、この基部に一体化されて支持材２０を両側から挟持する一対のアーム部と、基部から外方に突出するマーカ部１３とを備えたこと。【選択図】図１
2009074253.tif 000002
【特許請求の範囲】
【請求項１】
コンクリートによって形成すべき天端レベルを指し示すレベルマーカであって、
前記天端レベルに対応する位置に配置されている、または配置した支持材に当接される基部と、この基部に一体化されて前記支持材を両側から挟持する一対のアーム部と、前記基部から外方に突出するマーカ部とを備えて、
前記支持材に対して前記両アーム部によって挟持させたとき、前記マーク部が指し示す方向を自由に変更し得るようにしたことを特徴とするレベルマーカ。
【発明の詳細な説明】
【技術分野】
【０００１】
本発明は、打設したコンクリートの表面が、設計された天端レベルとなるようにするためのレベルマーカに関するものである。
【背景技術】
【０００２】
打設されたコンクリートの表面位置、またはこの上に流し込まれたレベリング材の表面位置は、「天端レベル」と言われるが、この「天端レベル」は、設計された位置、つまり高さでなければならない。換言すれば、設計された「天端レベル」とするためには、コンクリートの打設量を調整しなければならないのであり、この打設量の調整手段として、特許文献１や特許文献２に示されているようなものが採用されている。
【０００３】
特許文献１には、「テープの片側に、規則的かつ連続する表示を設けたレベルを示す合成樹脂等のテープ」が提案されており、このテープは、図６にも示すように鉄筋に巻き付けて、レベルを示すために使用されるものである。
【０００４】
特許文献２にも、「コンクリート打設天端レベル等の位置標示を明確化し、位置確認の容易化、制動向上を図る」目的でなされた「巻きテープ」が示されている。この巻きテープは、図７にも示すように、「粘着性の接着剤３が裏面に塗布されている帯状のテープ本体２を芯体６に巻き付けてなる巻きテープにおいて、前記テープ本体２の表面にその幅方向一側端縁を指標するマーク５を設ける」という構成を有するものであり、レベルを示すために使用されるものである。
【０００５】
しかしながら、特許文献１の「テープ」も、特許文献２の「巻きテープ」も、鉄筋等に巻き付けなければならないため、作業が面倒であるだけでなく、鉄筋の表面が水に濡れていたり土で汚れていた場合には簡単に剥がれたりズレたりして、標示すべき天端位置（天端レベル）がズレる可能性がある。また、これらのテープの貼付位置によっては、鉄筋とコンクリートとの密着を阻害する可能性もある。
【特許文献１】実開平３−１８３５６号公報、第２図
【特許文献２】登録第３００２７６７号実用新案公報、図１
【発明の開示】
【発明が解決しようとする課題】
【０００６】
例えば、基礎をコンクリートによって形成する場合、鉄筋と型枠を組み立てて、型枠内に生コンクリートを打設するのであるが、この型枠内は入り組んだ鉄筋も存在することから非常に狭いのが一般的である。そのような狭い型枠内の鉄筋等にテープ類を巻き付ける作業は困難である。
【０００７】
勿論、天端レベルを表示するものとしては、単に天端レベルが表示できればそれでよく、コンクリートの打設作業や均し作業に邪魔になるようなものであってはならないことは言うまでもない。
【０００８】
そこで、本発明者等は、取り付けや取り外しが簡単に行えて、打設作業やレベル調整作業に邪魔にならずに、天端レベルを表示できるものとするにはどうしたらよいか、について種々検討を重ねてきた結果、本発明を完成したのである。
【０００９】
すなわち、本発明の目的とするところは、天端レベルを表示できることは勿論、取り付けや取り外しが簡単に行えて、打設作業やレベル調整作業に邪魔にならないレベルマーカを、簡単な構成によって提供することにある。
【課題を解決するための手段】
【００１０】
以上の課題を解決するために、まず、請求項１に係る発明の採った手段は、後述する最良形態の説明中で使用する符号を付して説明すると、
「コンクリートによって形成すべき天端レベル３０を指し示すレベルマーカ１０であって、
天端レベル３０に対応する位置に配置されている、または配置した支持材２０に当接される基部１１と、この基部１１に一体化されて支持材２０を両側から挟持する一対のアーム部１２と、基部１１から外方に突出するマーカ部１３とを備えて、
支持材２０に対して両アーム部１２によって挟持させたとき、マーク部１３が指し示す方向を自由に変更し得るようにしたことを特徴とするレベルマーカ１０」
である。
【００１１】
すなわち、本発明に係るレベルマーカ１０は、図１にも示すように、コンクリートによって形成すべき天端レベル３０を指し示すものであり、天端レベル３０に対応する位置に配置されている、または配置した支持材２０に嵌め込んで取り付けられるものである。この場合の支持材２０は、型枠内に組み込まれた鉄筋であってもよいし、鉄筋に取り付けた別の棒材であってもよい。
【００１２】
そのために、このレベルマーカ１０は、図２〜図５に示すように、支持材２０に当接される基部１１と、この基部１１に一体化されて支持材２０を両側から挟持する一対のアーム部１２と、基部１１から外方に突出するマーカ部１３とを備えていて、図２に示すように、両アーム部１２内に支持材２０が入り込むように嵌め込まれるものである。
【００１３】
この嵌め込み作業は、当該レベルマーカ１０の両アーム部１２間に形成されているスリット内に支持材２０が位置するようにしてから、当該レベルマーカ１０全体を支持材２０に向けて押圧するだけで、簡単に行える。当該レベルマーカ１０を押圧すれば、その力によって両アーム部１２が支持材２０の太さに応じて両側に開放され、支持材２０が両アーム部１２内に完全に入って基部１１の内面が支持材２０に当接すれば、両アーム部１２は元の状態に戻って支持材２０を両側から挟持するからである。
【００１４】
勿論、このレベルマーカ１０が嵌め込まれるべき支持材２０は、垂直状態に立っている鉄筋を使用すればよいが、そのような鉄筋がない場合には、別の棒材を用意して、これを垂直になるように配置して使用すればよい。また、支持材２０は、設計された天端レベル３０を指し示すように、その高さ位置を決めなければならないが、垂直に立っている支持材２０または棒材に対して嵌め込んだ当該レベルマーカ１０を上下させるだけで、設計された天端レベル３０に合わせた位置調整が調整できる。
【００１５】
また、このレベルマーカ１０は、図６及び図７に示した従来のテープのように接着剤を使用するものではないから、両アーム部１２によって支持材２０に挟持させたとき、この挟持力以上の力を加えれば、支持材２０の軸方向に対する摺動も半径方向に対する回転も、自由に行える。換言すれば、このレベルマーカ１０では、図２の矢印にて示したように、マーク部１３が指し示す方向を自由に変更できるのである。
【００１６】
また、このレベルマーカ１０は、図１の左側に示したように、天端レベル３０の下側、つまりコンクリート内に埋設するように使用してもよいし、図１の右側に示したように、天端レベル３０の上側、つまりコンクリート内に埋設しないで後に取り外すようにしてもよい。
【００１７】
さらに、このレベルマーカ１０は、支持材２０に対する摺動や回転が自由に行えるのであるから、これを取り外す場合に、作業し易い方向、例えば引き外しに邪魔になるものが存在しない方向に摺動または回転させることによって、取り外し作業も簡単に行えることになる。
【発明の効果】
【００１８】
以上の通り、本発明においては、
「コンクリートによって形成すべき天端レベル３０を指し示すレベルマーカ１０であって、
天端レベル３０に対応する位置に配置されている、または配置した支持材２０に当接される基部１１と、この基部１１に一体化されて支持材２０を両側から挟持する一対のアーム部１２と、基部１１から外方に突出するマーカ部１３とを備えて、
支持材２０に対して両アーム部１２によって挟持させたとき、マーク部１３が指し示す方向を自由に変更し得るようにしたこと」
にその構成上の特徴があり、これにより、天端レベル３０を表示できることは勿論、取り付けや取り外しが簡単に行えて、打設作業やレベル調整作業に邪魔にならないレベルマーカ１０を、簡単な構成によって提供することができるのである。
【発明を実施するための最良の形態】
【００１９】
次に、上記のように構成した本発明を、図面に示した最良の形態であるレベルマーカ１０について説明すると、図１には、最良形態に係るレベルマーカ１０を実際に使用している状態が示してある。このレベルマーカ１０は、図２〜図５に示したように、基部１１と、アーム部１２と、マーカ部１３とを有するものであり、例えば合成樹脂材料を使用して一体成形したものである。
【００２０】
基部１１は、図２にも示したように、内面が円弧状となっているものであり、支持材２０の表面に「面」で当接することができるものである。この基部１１には、一対のアーム部１２が一体化してあり、図３にも示したように、これらのアーム部１２の内面と基部１１の内面とで、支持材２０の断面形状である円に近い円弧面が形成できるようになっている。
【００２１】
また、各アーム部１２の先端部には案内面１２ａが一体化してあり、これらの案内面１２ａは、当該レベルマーカ１０を支持材２０に対して押圧したとき、両アーム部１２を拡開するように、支持材２０の表面にて案内されるものである。そして、これらの案内面１２ａの先端によって、図５にも示したように、スリットが形成されるのであり、このスリットの存在によって支持材２０へ当接させたときの位置決めが行えるようになっている。換言すれば、両案内面１２ａによって形成されているスリットを支持材２０の表面に合わせれば、当該レベルマーカ１０の支持材２０に対する嵌め込みを確実に行える位置に、当該レベルマーカ１０の位置合わせができるのである。
【００２２】
マーカ部１３は、図３にも示したように、その根本が基部１１に一体化されたのものであり、先端が天端レベル３０を指し示すものであることを明確にする略三角形状の平板である。
【００２３】
なお、本最良形態のレベルマーカ１０は、その全体を、赤や黄色のような明色を採用した着色が施してあり、当該レベルマーカ１０の存在によっても、天端レベル３０を指し示すことができるようにしてある。
【図面の簡単な説明】
【００２４】
【図１】本発明に係るレベルマーカを施工した例を示す断面図である。
【図２】同レベルマーカの拡大斜視図である。
【図３】同レベルマーカの側面図である。
【図４】同レベルマーカの正面図である。
【図５】同レベルマーカの平面図である。
【図６】従来の技術を示す正面図である。
【図７】従来の他の技術を示す斜視図である。
【符号の説明】
【００２５】
１０    レベルマーカ
１１    基部
１２    アーム部
１２ａ  案内面
１３    マーカ部
２０    支持材
３０    天端レベル
【図１】
2009074253.tif 000003
【図２】
2009074253.tif 000004
【図３】
2009074253.tif 000005
【図４】
2009074253.tif 000006
【図５】
2009074253.tif 000007
【図６】
2009074253.tif 000008
【図７】
2009074253.tif 000009